(57)【要約】【課題】文字を書こうとした時あるいは読書中に、不確かな記憶の漢字や綴りの文字を素早く検索できる、筆記用具と一体化した電子辞書を供すること。【解決手段】筒状体の先端に筆記用具部を配し、筆記用具部後方の筒状体に少なくとも演算機能部、記憶機能部、表示機能部、入力機能部、電源部からなる電子辞書部を組み込んであることを特徴とする電子辞書を供する。前記筒状体の一部を長手方向に割って分割し、その一つを辞書部本体とし、他を蓋状体として辞書部本体に連結し、辞書部本体と蓋状体のそれぞれに表示板を配したことを特徴とする電子辞書を供する。前記入力機能部を前記筒状体の一部に配したレンズ及び光センサーを用いた読みとり装置とし、前記表示機能部を前記筒状体の外部壁面に配した曲面表示板とすることを特徴とする電子辞書を供する。【選択図】 　 　　図１
2004070951.tif 000002
【特許請求の範囲】
【請求項１】
筒状体の先端に筆記用具部を配し、筆記用具部後方の筒状体に少なくとも演算機能部、記憶機能部、表示機能部、入力機能部、電源部からなる電子辞書部を組み込んであることを特徴とする電子辞書。
【請求項２】
前記入力機能部を前記筒状体の一部に配したレンズ及び光センサーを用いた読みとり装置とし、前記表示機能部を前記筒状体の外部壁面に配した曲面表示板とすることを特徴とする請求項１記載した電子辞書。
【発明の詳細な説明】
【技術分野】
【０００１】
　本発明は、ボールペン等の筆記用具と一体化した電子辞書である。
【背景技術】
【０００２】
【特許文献１】特願平１０−３４０６２７　電子辞書は電子手帳型あるいは電子手帳に付加された機能として普及しているが更に持ち運びに便利な小型の電子辞書が望まれる。筆記用具の形状をした電子辞書としては特願平１０−３４０６２７が出願されているが入力方法が読みとり専用であり、手書き入力ができないため、筆記中に忘れた文字を検索したい場合には不向きである。また、筆記機能を有していないため、筆記中に書きたい文字を度忘れし、辞書が必要になったような場合、筆記用具と辞書の二通りの用具が必要である。筆記用具と一体化した辞書があれば筆記中にその場で文字が検索でき、重宝である。
【発明の開示】
【発明が解決しようとする課題】
【０００３】
　文字を書こうとした時あるいは読書中に、不確かな記憶の漢字や綴りの文字を素早く検索できる、筆記用具と一体化した電子辞書を供すること。
【課題を解決するための手段】
【０００４】
　筒状体の先端に筆記用具部を配し、筆記用具部後方の筒状体に少なくとも演算機能部、記憶機能部、表示機能部、入力機能部、電源部からなる電子辞書部を組み込んであることを特徴とする電子辞書を供する。
【０００５】
　前記筒状体の一部を長手方向に割って分割し、その一つを辞書部本体とし、他を蓋状体として辞書部本体に連結し、辞書部本体と蓋状体のそれぞれに表示板を配したことを特徴とする請求項１に記載した電子辞書を供する。
【０００６】
　前記入力機能部を前記筒状体の一部に配したレンズ及び光センサーを用いた読みとり装置とし、前記表示機能部を前記筒状体の外部壁面に配した曲面表示板とすることを特徴とする電子辞書を供する。
【発明の効果】
【０００７】
　本発明は筒状体の先端に筆記用具部を配し、筆記用具部後方の筒状体に少なくとも演算機能部、記憶機能部、表示機能部、入力機能部、電源部からなる電子辞書部を組み込んであることを特徴とする電子辞書であるため、次の効果を奏する。
【０００８】
　筆記用具と一体化した電子辞書であるため、記述中に文字を度忘れしたような場合、即座に文字を検索することが出来て重宝である。また、細長い筒状体であるため、かさばらずに持ち歩くことが出来、外出中に文字や意味を調べたい時に、その場で文字や意味の検索が出来て重宝である。
【０００９】
　前記入力機能部を前記筒状体の一部に配したレンズ及び光センサーを用いた読みとり装置とし、前記表示機能部を前記筒状体の外部壁面に配した曲面表示板とすることを特徴とする電子辞書であるため、次の効果を奏する。
【００１０】
　筆記用具に光学的読み取り式の辞書が組み込まれているため、学習中に文字あるいは語句の意味を確認したいようなときに、即座に調べることが出来て重宝である。筆記用具の保持部は細いものであるが、曲面である筒状体の表面を使うことにより表示部を広くすることが出来る。
【発明を実施するための最良の形態】
【００１１】
　発明の実施の形態について図を用いて説明する。
【実施例１】
【００１２】
　図１は全体の構成を示す本発明の斜視図である。電子辞書部１の蓋状体６を開いた状態の斜視図であり、筒状体２の先端に筆記用具部３を配し、その後方に連結部４を介して電子辞書部１が組み込まれている。電子辞書部１は筒状体２の内、筆記用具部３の後方に当たる部位を長手方向に分割して、辞書部本体５と蓋状体６を形成し、筒状体の最後部に電源部７を配して構成される。電源部７には電源スイッチ８が配される。辞書部本体５及び蓋状体６にはそれぞれ表示板９がはめ込まれ、辞書部本体５と蓋状体６は結合部１０によって結合される。本実施例では電源部７を電池としているが、太陽電池等と置き換えることが可能である。
【００１３】
　図２は筆記用具部３の構成を示す一部断面を含む斜視図である。筆記用具部３は先端に筆記機能部１１を配し、続いて筆記材料部１２を筒状体２の内部に構成する。筆記材料部１２の後方に押し出し機能部１３を配する。筆記機能部１１はペン、ボールペン、シャープペンシル等とすることが可能である。筆記材料部１２はインク、鉛筆替え芯等とし、否使用時はバネ１４により筒状体２の内部に押し込められる。
【００１４】
　押し出し機能部１３は傾斜板１５と、弾性体によって形成された傾斜板押さえ部１６によって構成される。傾斜板押さえ部１６は鋼等によって製造されたバネ等の弾性体であって、筆記用具部３と電子辞書部１とを隔てる隔離壁１７に取り付けられ、傾斜板１５を押さえつけて筆記用具部３を先端方向に押し出す。傾斜板１５は筒状体２と結合され、筒状体２を回転させることにより、傾斜板押さえ部１６との接触部位を変えることにより筆記材料部１２および筆記機能部１１の押し出しを可能にする。
【００１５】
　図３は電子辞書部１の構成を示す一部断面を含む斜視図である。表示板９のうち辞書部本体５側の表示板９には入力機能を持たせて入力機能部１８とし、蓋状体６側の表示板９には検索結果の表示機能を持たせて表示機能部１９とする。辞書部本体５の内部にはプリント配線がなされた基盤２０がはめ込まれ、基盤２０には少なくとも演算機能部２１が配され、記憶機能部２２、表示機能部１９、入力機能部１８、及び電源部７がそれぞれ配線によって接続されている。辞書部本体５側の各部位と蓋状体６側の表示機能部１９とは辞書部本体５及び蓋状体６の端に設けた隙間２３を通して、リボン状配線２４等によって接続される。
【００１６】
　図４は電子辞書部１に於ける表示板９の機能構成を示す説明図である。枠Ａ２５ａ内は辞書部本体５側の表示板９の機能構成を示すものであり、全体として入力機能部１８を構成するものである。入力機能部１８の入力及び選択作業は感圧作用によって行い、入力部２６、作業部２７、選択機能部２８によって構成される。作業部２７はスクロールキーＡ２９ａ、入力終了キー３０、訂正キー３１、削除キー３２、検索キー３３によって構成され、入力作業を行う。選択機能部２８は読み取り結果表示部３４、文字選択部（文字候補一覧）３５、文字種選択部３６より構成され、項目ごとに表示された内容を選択して、入力した文字を正しいものにする。
【００１７】
　入力部２６の表面を加圧棒でなぞることにより、感圧した部分３７の軌跡が変色し、文字を表すようにする。入力部に加圧棒を使い手書きで次々にひらがなやアルファベットを入力して単語とし、検索キー３３をクリックすることにより検索開始の指示を出して文字や意味の検索を行う。入力部２６への入力は一つの文字を書き終える度に入力終了キー３０をクリックする。入力にミスがあった場合には訂正キー３１をクリックし、文字一区切りごとに消して入力し直す。一区切りとは一画等、本辞書が識別できる文字を構成する一つの区切りを指す。
【００１８】
　入力終了キー３０をクリックすると文字選択部３５に文字候補の一覧が表示され、一番適切と判断された文字が読みとり結果表示部３４に表示される。読みとり結果表示部３４に表示された文字が正しくない場合には、その文字をクリックしてカーソルＡ３８ａをその文字に合わせる。前記カーソルＡ３８ａに選択された文字に対応する文字候補が文字選択部３５に表示され、その中から適切な文字を選んでクリックするとカーソルＢ３８ｂが選ばれた文字に移動し、読み取り結果表示部３４の文字が正しいものに変更される。
【００１９】
　入力部２６に入力した文字がどのような文字種なのかを判別した結果が文字種選択部３６のカーソルＣ３８ｃが移動することによって表示される。読み取り結果表示部３４に求める文字と違った文字種の文字が表示された場合、その文字をクリックした上で文字種選択部３６の正しい文字種をクリックすることにより文字選択部３５に表示された文字候一覧が入れ替えられ、読み取り結果表示部３４の文字も入れ替えられる。文字選択部３５に表示された文字候補の中に正しい文字が表示されていない場合にはスクロールキーＡ２９ａをクリックすることにより画面をスクロールさせ、隠れた文字を表に出す。
【００２０】
　読み取り結果表示部３４に余分な文字が入ってしまった場合や、文字選択部３５の選択機能では修正できない誤りが生じた場合、カーソルＡ３８ａをその文字に合わせ削除キー３２をクリックすることにより削除する。削除キー３２をクリックすると入力部２６の文字が最初に消え、次のクリックで読み取り結果表示部３４の文字が消える。読み取り結果表示部３４の表示がすべて正しい状体になった時点で、検索キー３３をクリックすると、枠Ｂ２５ｂ内の表示機能部１９に検索の結果が表示される。
【００２１】
　表示機能部１９は検索結果表示部３９と表示切り替えキー４０によって構成され、表示切り替えキー４０は漢字キー４１と読み意味キー４２及びスクロールキーＢ２９ｂによって構成される。読み取り結果表示部３４にかなを表示して漢字を知りたいときには漢字キー４１をクリックし、読み取り結果表示部３４に漢字を表示して読みや意味を知りたいときは読み意味キー４２をクリックする。
【００２２】
　読み方の分からない漢字や英字を入力部２６に入力して、読み取り結果表示部３４に正しい文字を表示させ、読みや意味を検索結果表示部３９に表示させることも可能である。漢字の表示で同音異義の文字があった場合にはスクロールキーＢ２９ｂをクリックして画面をスクロールし、適切な内容を表示させる。意味の表示の場合には一度に表示しきれない説明文を順次呼び出す。熟語等複数の文字の内、一つの文字のみについて詳しく知りたい場合には検索結果表示部３９に表示された文字群の内の一文字をクリックして表示を反転させ、読み意味キー４２をクリックする。
【実施例２】
【００２３】
　図５は実施例２の一部断面を含む斜視図であり、実施例１の入力部２６をレンズ４３と光センサー４４を使った読み取り式入力部Ｂ２６ｂに置き換え、表示板９を曲面表示板９ｂに、電源部７を太陽電池７ｂに置き換えたものである。筆記機能部１１の反対側に位置する筒状体２の最上部に透明なフード４５を設け、内部にレンズ４３をレンズ保持部４６によって取り付ける。レンズ保持部４６に覆われたレンズ４３の後方に光センサー４４を配する。使用に当たってはフード４５を印刷物等の読み取り対象物に密着させると光センサー４４の光感知部に像を結ぶ。
【００２４】
　筒状体２の胴部に配した読み取りスイッチ４７を押すことにより映像としての文字を辞書内に取り込む。透明なフード４５を通して読み取り位置を確認しながらスイッチを押しつつ読み取り面を移動させることにより、連続して文字の取り込みを行う。筒状体２の胴部には切り替えスイッチ４８を配し、電力を切るための「ＯＦ」と入力作業をするための「入力」及び文字等を選択するための「選択」が切り替えられるようにする。文字選択部３５での、取り込んだ文字の文字候補を選択する作業は切り替えスイッチ４８を「選択」に合わせた後に、実施例１と同様の作業によって行う。表示機能部１９と入力機能部１８の機能及び扱い方も実施例１と同様である。
【００２５】
　図６は実施例２の曲面表示板９ｂの機能構成を示す説明図である。枠Ｂ２５ｂ内は実施例１と共通であり、表示内容の例のみを入れ替え、読みと意味を表示させている。枠Ｃ２５ｃは実施例１の枠Ａ２５ａから入力部２６を取り払ったものであり、他は共通である。印刷物等から読みとられた文字は識別されて文字選択部３５に文字候補の一覧が表示され、一番適切と判断された文字が読みとり結果表示部３４に表示される。漢字が分からずにどう書くのか調べたい場合には、手書きでかな文字を紙などに書き、それを読みとらせて入力する。
【００２６】
　読み取り結果表示部３４に表示された文字が漢字であった場合、枠Ｂ２５ｂ内の検索結果表示部３９には自動的に読みと意味が表示される。読み取り結果表示部３４に表示された文字がかなであった場合、検索結果表示部３９には漢字が表示されるが、読み意味キー４２をクリックすることで表示を読みと意味に切り替えることが出来る。読み取り結果表示部３４に表示された文字が漢字であって、漢和辞典としての機能を求める場合には漢字キー４１をクリックすることにより表示を変えることが出来る。英和辞典、和英辞典の機能についても同様に設定することが可能である。
【００２７】
　図７は検索の行程を図で表した説明図である。文字等の検索に当たって、実施例１では電源部７の電源スイッチ８をＯＮにし、実施例２では切り替えスイッチ４８を「入力」に合わせる。次いで、実施例１では入力機能部１８に於ける入力部２６に加圧棒等を用いて文字を入力し、実施例２では光センサー４４による入力部Ｂ２６ｂを用いて文字を入力する。入力部２６及び入力部Ｂ２６ｂに入力されたイメージ情報は演算機能部２１に送られ、入力文字イメージバッファ４９に一時貯えられる。イメージ情報はイメージ比較キャラクタ抽出部５０に送られ、記憶機能部２２のフォントデータベース部５１に蓄えられた文字情報と比較し、文字候補を選出する。
【００２８】
　選出された文字候補群は抽出キャラクタバッファ５２に送られ、選択機能部２８の文字選択部３５に表示される。次いで、文字候補群の内から最適な文字が選択され蓄積されて読み取り結果表示部３４に表示され、作業部２７の検索キー３３の指示を受けて、辞書機能部５３に送られる。辞書機能部５３に送られた文字情報は、辞書データベース部５４の情報と比較して検索作業を実施し、該当する辞書情報を呼び出して辞書バッファ５５に一時蓄える。辞書バッファ５５の情報は検索結果表示部３９に表示される。
【図面の簡単な説明】
【００２９】
【図１】全体の構成を示す斜視図である。
【図２】筆記用具部３の構成を示す一部断面を含む斜視図である。
【図３】電子辞書部１の構成を示す一部断面を含む斜視図である。
【図４】電子辞書部１の表示板９の機能構成を示す説明図である。
【図５】実施例２の一部断面を含む斜視図であり、
【図６】実施例２の曲面表示板９ｂの機能構成を示す説明図である。
【図７】検索の行程を図で表した説明図である。
【符号の説明】
【００３０】
１　電子辞書部
２　筒状体
３　筆記用具部
４　連結部
５　辞書部本体
６　蓋状体
７　電源部
７ｂ　太陽電池
８　電源スイッチ
９　表示板
９ｂ　曲面表示板
１０　結合部
１１　筆記機能部
１２　筆記材料部
１３　押し出し機能部
１４　バネ
１５　傾斜板
１６　傾斜板押さえ部
１７　隔離壁
１８　入力機能部
１９　表示機能部
２０　基盤
２１　演算機能部
２２　記憶機能部
２３　隙間
２４　リボン状配線
２５ａ　枠Ａ
２５ｂ　枠Ｂ
２５ｃ　枠Ｃ
２６　入力部
２６ｂ　入力部Ｂ
２７　作業部
２８　選択機能部
２９ａ　スクロールキーＡ
２９ｂ　スクロールキーＢ
３０　入力終了キー３０
３１　訂正キー
３２　削除キー
３３　検索キー
３４　読み取り結果表示部
３５　文字選択部（文字候補一覧）
３６　文字種選択部
３７　感圧した部分
３８ａ　カーソルＡ
３８ｂ　カーソルＢ
３８ｃ　カーソルＣ
３９　検索結果表示部
４０　表示切り替えキー
４１　漢字キー
４２　読み意味キー
４３　レンズ
４４　光センサー
４５　フード
４６　レンズ保持部
４７　読み取りスイッチ
４８　切り替えスイッチ
４９　イメージバッファ
５０　イメージ比較キャラクタ抽出部
５１　フォントデータベース部
５２　キャラクタバッファ
５３　辞書機能部
５４　辞書データベース部
５５　辞書バッファ
【図１】
2004070951.tif 000003
【図２】
2004070951.tif 000004
【図３】
2004070951.tif 000005
【図４】
2004070951.tif 000006
【図５】
2004070951.tif 000007
【図６】
2004070951.tif 000008
【図７】
2004070951.tif 000009